(57)【要約】      （修正有）【課題】ハーフミラーを用いる時計において、時刻表示は常時行い、必要なときに装飾体を時刻表示と重ねて表示する装飾装置付き時計を提供する。【解決手段】時計ケース２の前面から奥行き方向に順次、時文字や目盛などの指標を印刷した前面ガラス３と、この前面ガラス３から所定間隔を設けて配置するハーフミラー４と、このハーフミラー４の背後に時計中心部分を軸として回転する回転板５とを設け、前面ガラス３とハーフミラー４との間の第１空間Ａに、時計指針を配置し、ハーフミラー４と回転板５との間の第２空間Ｂに、回転板５に取付ける飾り７を配置し、回転板５の背後には回転板５を回転させる駆動機構８を配置し、第２空間Ｂの適所には、回転板５の作動時に飾り７を照明する照明用光源９を配置する。【選択図】図２
2016061640.tif 000002
【特許請求の範囲】
【請求項１】
時計ケース内に装飾装置を備えた装飾装置付き時計において、
時計ケースの前面から奥行き方向に順次、時文字や目盛などの指標を印刷した前面ガラスと、この前面ガラスから所定間隔を設けて配置するハーフミラー蒸着透明板と、このハーフミラー蒸着透明板の背後に時計中心部分を軸として回転する回転板とを設け、
前記前面ガラスと前記ハーフミラー蒸着透明板との間の第１空間に、時計指針を配置し、
前記ハーフミラー蒸着透明板と前記回転板との間の第２空間に、当該回転板に取付ける飾りを配置し、
前記回転板の背後には当該回転板を回転させる駆動機構を配置し、
更に、前記第２空間の適所には、前記回転板の作動時に前記飾りを照明する照明用光源を配置したことを特徴とする装飾装置付き時計。
【発明の詳細な説明】
【技術分野】
【０００１】
本発明は、例えば正時になると、前面ガラスの奥に設置された装飾体が視認され得る装飾装置付き時計に関する。
【背景技術】
【０００２】
この種の装飾装置付き時計としては、時計ケース内にハーフミラーを設けて、例えば正時になると、前面ガラスの奥に設置された装飾体が表示されて視認されるものが知られている（特許文献１）。また、時計ケース内に、ハーフミラー及びその奥に文字板を設けて、ハーフミラーの部分を通常は鏡として機能させ、必要によりハーフミラーの部分に文字板を透光現出させて、鏡から時計に変身させるもの（特許文献２−４）などが知られている。
【０００３】
これらのうち、前記特許文献１のものは、常時は時計として機能させ、上記のように、例えば正時になると前面ガラスの奥に設置された装飾体が表示されて視認されるものであるのに対し、前記特許文献２、特許文献３及び特許文献４のものは、常時は鏡として機能させ、必要により鏡から時計に変身させる点で大きく異なる。
【０００４】
この種のハーフミラーを用いた時計は、時計ケース内の適所に、ＬＥＤなどの光源を配置していて、常時はハーフミラーの部分の透光を遮断していたものを、このＬＥＤを発光させることにより、ハーフミラーの部分に装飾体や文字板を透光現出させているものである。
【０００５】
また、ハーフミラーは、ガラスに反射膜をごく薄く形成して、半透明にするものであり、反射膜は、錫、銀のめっきや、蒸着により形成される。そして、反射光と透過光の割合は反射膜の厚みで調整でき、薄いと透過光が、厚いと反射光が、増えることが知られている。
【先行技術文献】
【特許文献】
【０００６】
【特許文献１】実開平５−６３９２号公報
【特許文献２】実開昭６０−６５６９４号公報
【特許文献３】実開平３−６８０９６号公報
【特許文献４】米国特許第４２７１４９２号公報
【発明の概要】
【発明が解決しようとする課題】
【０００７】
上記従来技術において、特許文献１のものは、正時になると、前面ガラスの奥に設置された装飾体が表示されるが、その際、時計の文字板及び指針は表示されなくなるので、装飾体が表示されている時間内は時刻を知ることができなくなる不都合がある。
【０００８】
また、特許文献２-４のものは、特許文献１のものとは逆に、通常は鏡として使用され、必要に応じて時刻表示させるものであるため、時刻を知るにはそのつど、時刻表示させるための操作をしなければならない不都合がある。
【０００９】
本発明は、上記事情に鑑みてなされたもので、ハーフミラーを用いる時計において、時刻表示は常時行うことができ、しかも、正時など適宜必要なときに装飾体を時刻表示と重ねて表示することができる装飾装置付き時計を提案するものである。
【課題を解決するための手段】
【００１０】
本願第１請求項に記載した発明は、実施例で用いた符号を付して記すと、時計ケース内に装飾装置を備えた装飾装置付き時計において、
時計ケース２の前面から奥行き方向に順次、時文字や目盛などの指標３ａを印刷した前面ガラス３と、この前面ガラス３から所定間隔を設けて配置するハーフミラー４と、このハーフミラー４の背後に時計中心部分を軸として回転する回転板５とを設け、
前記前面ガラス３と前記ハーフミラー４との間の第１空間Ａに、時計指針６を配置し、
前記ハーフミラー４と前記回転板５との間の第２空間Ｂに、当該回転板５に取付ける飾り７を配置し、
前記回転板５の背後には当該回転板５を回転させる駆動機構８を配置し、
更に、前記第２空間Ｂの適所には、前記回転板５の作動時に前記飾り７を照明する照明用光源９を配置したことを特徴とする装飾装置付き時計１である。
【発明の効果】
【００１１】
本願第１請求項に記載した発明によれば、通常時（照明用光源９がＯＦＦのとき）においては、正面から時計１を見た場合、ハーフミラー４により光が反射されるので、前面ガラス３の指標３ａと、第１空間Ａに配置された時計指針６が視認される。すなわち、第２空間Ｂに配置された回転板５や飾り７は隠蔽されている。
【００１２】
ところが、例えば正時になって、照明用光源９がＯＮとなり且つ駆動機構８が作動すると、第２空間Ｂが内照され、ハーフミラー４を光が透光して、このハーフミラー４の部分に回転板５や飾り７が透光現出し、普段外観から視認できないこれら回転板５や飾り７の動作も併せて確認することができるようになる。
【００１３】
更に、照明用光源９の発光が前面ガラス３の裏面に反射することにより、この前面ガラス３に施された時文字や目盛などの指標３ａが、ハーフミラー４に映り込み、回転板５乃至飾り７の部分と略同じ奥行き位置に配置されているような錯覚効果を生み出すことができることとなる。
【００１４】
このように、本願発明によれば、常時時計の時刻を表示することができるとともに、例えば毎正時に回転板や飾りが駆動する空間内を内照させると、当該駆動を視認することができ、併せて、上述したような錯覚効果も生ぜしめることができるなどの作用効果を奏するものである。
【図面の簡単な説明】
【００１５】
【図１】本発明の実施例に係り、照明用光源ＯＦＦ時における時計の正面図である。
【図２】本発明の実施例に係り、時計の縦断面図である。
【図３】本発明の実施例に係り、回転板の駆動機構を示す分解斜視図である。
【図４】本発明の実施例に係り、照明用光源ＯＮ時における時計の正面図である。
【発明を実施するための形態】
【００１６】
以下に、本発明の実施例を図面に基づいて説明する。本例の時計１は、時計ケース２の前面から奥行き方向に順次、時文字や目盛などの指標３ａを印刷した前面ガラス３と、この前面ガラス３から所定間隔を設けて配置するハーフミラー４と、このハーフミラー４の背後に時計中心部分を軸として回転する回転板５とを設ける。
【００１７】
前面ガラス３とハーフミラー４との間の空間を第１空間Ａ、ハーフミラー４と回転板５との間の空間を第２空間Ｂとすると、第１空間Ａには時計指針６を配置し、第２空間Ｂには回転板５に取付ける飾り７を配置する。
【００１８】
また、回転板５の背後には、当該回転板５を回転させる駆動機構８を配置し、更に、第２空間Ｂの適所には、回転板５の作動時に飾り７を照明する照明用光源９を配置する。この例では、照明用光源９は第２空間Ｂの上部左右２箇所に、時計中心部に向けて配置されている。
【００１９】
回転板５は、時計ケース２の内部に配置される中板１ａの円形くり抜き部１ｂに回転可能に装着される。そして、この回転板５は、当該回転板５の背後に設けられた空間、つまり第３空間Ｃに設置された駆動機構８により回転駆動される。尚、第１空間Ａ、第２空間Ｂ及び第３空間Ｃは、それぞれが独立して区画されるところ、とりわけ第２空間Ｂは、ハーフミラー４と中板１ａ及び回転板５により密封されている。
【００２０】
駆動機構８は、図３に示すように、回転軸にウオームギア８ｂを取付けたモータ８ａと、ウオームギア８ｂに噛み合うギア８ｃ及びこのギア８ｃに固着された平歯車８ｄとから構成される。また、回転板５の背面側には、この平歯車８ｄと噛み合うリングギア５ａが設けられている。尚、図３において、符号１０は回路ブロック、Ｍはムーブメントである。
【００２１】
このように構成される駆動機構８において、モータ８ａが回転すると、その回転力はウオームギア８ｂ、ギア８ｃ及びこのギア８ｃに固着された平歯車８ｄ、回転板５のリングギア５ａを経由して伝達されて、回転板５が回転する。
【００２２】
次に、時計ケース内に装飾装置を備えた本例の装飾装置付き時計の動作を説明する。
【００２３】
本例の時計１は、毎正時に装飾体（回転板５及び飾り７）を駆動させるものであって、通常時は、回転板５及び飾り７の駆動並びに駆動照明用光源９がＯＦＦになっている。
【００２４】
回転板５及び飾り７の駆動並びに駆動照明用光源９がＯＦＦになっているときは、正面から時計１を見た場合、ハーフミラー４により光が反射されて、前面ガラス３の指標３ａと、第１空間Ａに配置された時計指針６が視認される。すなわち、第２空間Ｂに配置された回転板５や飾り７は隠蔽されている（図１参照）。
【００２５】
そして、正時になると、照明用光源９がＯＮとなり且つ駆動機構８が作動する。第２空間Ｂが内照されると、ハーフミラー４を光が透光して、このハーフミラー４の部分に回転板５や飾り７が透光現出し、普段外観から視認できないこれら回転板５や飾り７の動作も併せて確認することができるようになる（図４参照）。
【００２６】
更に、照明用光源９の発光が前面ガラス３の裏面に反射することにより、この前面ガラス３に施された時文字や目盛などの指標３ａが、ハーフミラー４に映り込み、回転板５乃至飾り７の部分と略同じ奥行き位置に配置されているような錯覚効果を生み出す。
【００２７】
このように、本例の装飾装置付き時計によれば、常時時計の時刻を表示することができるとともに、例えば毎正時に回転板や飾りが駆動する空間内を内照させると、当該駆動を視認することができ、併せて、上述したような錯覚効果も生ぜしめることができることになる。
【００２８】
本発明は、上記実施例に限定されるものではなく、本発明の趣旨に則り適宜改変することができるものである。
【産業上の利用可能性】
【００２９】
本発明の装飾装置付き時計は、時刻表示を継続させながら適宜装飾体を駆動させ且つ特殊な視覚効果を発揮させ得るものであり、壁掛け時計、置き時計、目覚し時計として好適に利用することができる。
【符号の説明】
【００３０】
１    時計
１ａ    中板
１ｂ    円形くり抜き部
２    時計ケース
３    前面ガラス
３ａ    指標
４    ハーフミラー
５    回転板
５ａ    リングギア
６    時計指針
７    飾り
８    駆動機構
８ａ    モータ
８ｂ    ウオームギア
８ｃ    ギア
８ｄ    平歯車
９    照明用光源
１０    回路ブロック
Ａ    第１空間
Ｂ    第２空間
Ｃ    第３空間
Ｍ    ムーブメント
【図１】
2016061640.tif 000003
【図２】
2016061640.tif 000004
【図３】
2016061640.tif 000005
【図４】
2016061640.tif 000006